(57)【特許請求の範囲】
【請求項１】
電話番号情報を表示する表示部と、
過去に発呼した実績のある相手先の名称と通算の発呼回数とを対応させて記憶する第１の記憶部と、
相手先の名称とその電話番号を対応させて記憶する第２の記憶部と、
文字列及び指示を入力するキー入力部と、
前記キー入力部から入力された文字列を読み取り、前記キー入力部からの発呼指示で発呼を行う制御部と、
を有する電話端末の制御方法であって、
前記制御部が、前記キー入力部から、これから発呼しようとする相手先を問い合わせるためのキー入力があると、当該キー入力の内容である問い合わせ入力内容を読み取り、前記問い合わせ入力内容読み取り後の状態において、前記問い合わせ入力内容と一致する相手先の名称が前記第１の記憶部に存在するかどうか該第１の記憶部内を検索し、該当する相手先の名称が前記第１の記憶部に存在した場合は、当該相手先の名称を前記第１の記憶部から読み出して前記表示部に表示する第１の名称表示状態とし、
前記第１の名称表示状態で前記キー入力部からＯＫの入力がなされると、前記相手先の名称に対応する電話番号を前記第２の記憶部から読み出して、前記相手先の名称及び該名称に対応する電話番号を前記表示部に表示する第２の名称表示状態とし、
前記第１の名称表示状態で前記キー入力部からスクロールキーの入力がなされると、前記第１の記憶部内の検索が終了したかを判断し、前記第１の記憶部内の検索が終了していなければ、前記第１の記憶部から次の名称を読み出して前記表示部に表示して、前記第１の名称表示状態とし、
前記第１の名称表示状態で前記キー入力部から終了キーの入力がなされると、待ち受け状態に戻し、
前記第２の名称表示状態で前記入力部から回線接続するためのキー入力がなされると、前記表示されている電話番号に発呼し、
前記第２の名称表示状態で前記スクロールキーが押下されると、前記第１の記憶部に記憶されている全ての名称について検索したかを判断し、検索が終了していない場合は前記第１の記憶部に記憶されている次の名称を読み取って前記表示部に表示して前記第１の名称表示状態とし、
前記第２の名称表示状態で終了キーが押下されると、待ち受け状態に戻し、
前記問い合わせ入力内容読み取り後の状態において、前記問い合わせ入力内容と一致する相手先の名称が前記第１の記憶部に存在するかどうか該第１の記憶部内を検索しても該当する相手先の名称が前記第１の記憶部に存在しなかった場合と、前記第１の名称表示状態で前記キー入力部からスクロールキーの入力がなされ、前記第１の記憶部内の検索が終了していた場合と、前記第２の名称表示状態で前記スクロールキーが押下され、前記第１の記憶部に記憶されている全ての名称について検索が終了していた場合は、更に前記第２の記憶部内を検索し、前記問い合わせ入力内容と一致する相手先が前記第２の記憶部内に存在すれば、当該相手先の名称及び該名称に対応する電話番号を前記第２の記憶部から読み出して前記表示部に表示する第３の名称表示状態とし、
前記第３の名称表示状態で前記入力部から回線接続するためのキー入力がなされると、前記表示されている電話番号に発呼し、
前記第３の名称表示状態で前記入力部からスクロールキーの入力がなされると、前記第２の記憶部に記憶されている全ての名称について検索したかを判断し、検索が終了していない場合は前記第２の記憶部に記憶されている次の名称を読み取って前記表示部に表示し、
前記第３の名称表示状態で前記入力部から終了キーの押下がなされると、待ち受け状態とすることを特徴とする電話端末の制御方法。
【発明の詳細な説明】
【０００１】
【発明の属する技術分野】
本発明は、電話帳ファイルを備えた電話端末の発呼方法に係り、特に、発呼実績メモリの内容から電話帳ファイルにおける相手先の電話番号情報を表示させて発呼を促すことができる電話端末の発呼方法に関する。
【０００２】
【従来の技術】
電話帳ファイルは、ＣＤやフロッピー（登録商標）ディスク等の不揮発性記憶手段に相手先の名称とそれに対応する電話番号を記憶した電子式電話帳である。電話帳ファイルを備えた電話端末は、利用者が入力した問い合わせ項目に基づいて電話帳ファイルを検索して、該当する電話番号を読み取って表示し、更に、検索した電話番号に対して発呼する（電話をかける）機能を有するものである。
【０００３】
従来の電話帳ファイルを備えた電話端末としては、図４に示すようなものがあった。図４は、従来の電話帳ファイルを備えた電話端末の構成ブロック図である。従来の電話帳ファイルを備えた電話端末は、相手先の名称とその電話番号を対応させて記憶する電話帳ファイル１と、問い合わせ項目（例えば「医院」「銀行」）等を入力するキー入力部２と、問い合わせ項目を読み取って電話帳ファイル１から該当する名称の電話番号を読み出す制御部３と、検索結果を表示する表示部４と、公衆回線６に接続するための電話回線インタフェース５と、送受話器７とから構成されている。
【０００４】
更に、キー入力部２は問い合わせ項目等を選択・指定入力する文字キー２１と、表示部４に表示されている電話番号に発呼することを指示する回線接続キー２２と、検索結果として目的の電話番号情報が表示されていない場合に、問い合わせ項目に該当する別の情報を表示させることを指示するスクロールキー２３とから構成されている。
【０００５】
ここで、上記構成の従来の電話端末の制御方法について図５を用いて説明する。図５は、従来の電話端末の制御方法を示すフローチャート図である。キー入力部２の文字キー２１から問い合わせ項目が選択・指定入力される（５０１）と、制御部３は、入力された文字列を読み取り（５０２）、電話帳ファイル１を検索して入力された文字列と同一文字列を含む名称（該当名称）とそれに対応する電話番号を読み取って（５０３）、表示部４において表示させる（５０４）。
【０００６】
利用者は、表示された検索結果を見て目的の情報であるかどうかを判断し（５０５）、表示された情報が目的の電話番号である場合、回線接続キー２２を押下する（５０６）と、制御部３が、表示されている電話番号に対して発呼して回線接続を行い（５０７）、通話状態となる（５０８）。
【０００７】
また、処理（５０５）において表示された情報が目的の情報でないと判断した場合には、利用者はスクロールキー２３を押下し（５０９）、制御部３は、処理（５０３）に戻って再び電話帳ファイル１を検索して、問い合わせ項目に該当する別の名称とそれに対応する電話番号を取り出して表示させる。そして、目的の電話番号情報が取り出されるまで同様の処理を繰り返すようになっていた。
【０００８】
【発明が解決しようとする課題】
しかしながら、上記従来の電話端末では、問い合わせ項目が入力された場合に、常に電話帳ファイル１の先頭から検索するようになっているため、場合によっては、目的の情報を取り出すのに何度もスクロールキー２３を押下して検索しなおす必要があり、検索作業に時間がかかって不便であるという問題点があった。
【０００９】
本発明は上記実情に鑑みて為されたもので、電話帳ファイルから相手先の電話番号を表示させて発呼させるのに、発呼実績メモリの内容から相手先を選択して対応する相手先の電話番号情報を表示させることができる電話端末の発呼方法を提供することを目的とする。
【００１０】
【課題を解決するための手段】
上記従来例の問題点を解決するための本発明は、電話番号情報を表示する表示部と、過去に発呼した実績のある相手先の名称と通算の発呼回数とを対応させて記憶する第１の記憶部と、相手先の名称とその電話番号を対応させて記憶する第２の記憶部と、文字列及び指示を入力するキー入力部と、キー入力部から入力された文字列を読み取り、キー入力部からの発呼指示で発呼を行う制御部と、を有する電話端末の制御方法であって、制御部が、キー入力部から、これから発呼しようとする相手先を問い合わせるためのキー入力があると、当該キー入力の内容である問い合わせ入力内容を読み取り、問い合わせ入力内容読み取り後の状態において、問い合わせ入力内容と一致する相手先の名称が第１の記憶部に存在するかどうか該第１の記憶部内を検索し、該当する相手先の名称が第１の記憶部に存在した場合は、当該相手先の名称を第１の記憶部から読み出して表示部に表示する第１の名称表示状態とし、第１の名称表示状態でキー入力部からＯＫの入力がなされると、当該相手先の名称に対応する電話番号を第２の記憶部から読み出して、相手先の名称及び該名称に対応する電話番号を表示部に表示する第２の名称表示状態とし、第１の名称表示状態でキー入力部からスクロールキーの入力がなされると、第１の記憶部内の検索が終了したかを判断し、第１の記憶部内の検索が終了していなければ、第１の記憶部から次の名称を読み出して表示部に表示して、第１の名称表示状態とし、第１の名称表示状態でキー入力部から終了キーの入力がなされると、待ち受け状態に戻し、第２の名称表示状態で入力部から回線接続するためのキー入力がなされると、表示されている電話番号に発呼し、第２の名称表示状態でスクロールキーが押下されると、第１の記憶部に記憶されている全ての名称について検索したかを判断し、検索が終了していない場合は第１の記憶部に記憶されている次の名称を読み取って表示部に表示して第１の名称表示状態とし、第２の名称表示状態で終了キーが押下されると、待ち受け状態に戻し、問い合わせ入力内容読み取り後の状態において、問い合わせ入力内容と一致する相手先の名称が第１の記憶部に存在するかどうか該第１の記憶部内を検索しても該当する相手先の名称が第１の記憶部に存在しなかった場合と、第１の名称表示状態でキー入力部からスクロールキーの入力がなされ、第１の記憶部内の検索が終了していた場合と、第２の名称表示状態でスクロールキーが押下され、第１の記憶部に記憶されている全ての名称について検索が終了していた場合は、更に第２の記憶部内を検索し、問い合わせ入力内容と一致する相手先が第２の記憶部内に存在すれば、当該相手先の名称及び該名称に対応する電話番号を第２の記憶部から読み出して表示部に表示する第３の名称表示状態とし、第３の名称表示状態で入力部から回線接続するためのキー入力がなされると、表示されている電話番号に発呼し、第３の名称表示状態で入力部からスクロールキーの入力がなされると、第２の記憶部に記憶されている全ての名称について検索したかを判断し、検索が終了していない場合は第２の記憶部に記憶されている次の名称を読み取って表示部に表示し、第３の名称表示状態で入力部から終了キーの押下がなされると、待ち受け状態とすることを特徴としている。
【００１１】
【発明の実施の形態】
本発明の一実施例について図面を参照しながら説明する。
本実施例の電話端末の発呼方法は、発呼実績のある相手先の名称を記憶する発呼実績メモリを設け、問い合わせ項目が入力された場合に、発呼実績メモリを検索して、発呼実績のある相手先を表示し、その相手先の名称に対応する電話番号を電話帳ファイルから表示させて発呼させることができるようにしたものである。
【００１２】
本実施例の電話端末の構成について図１を用いて説明する。図１は、本発明の一実施例に係る電話端末の構成ブロック図である。尚、従来の電話端末と同様の構成を取る部分については、図４と同一の符号を付して説明する。本実施例の電話端末の基本的な構成は、図４に示した従来の電話端末とほぼ同様であり、相手先の名称とその電話番号を対応させて記憶する電話帳ファイル１と、「医院」「銀行」等の問い合わせ項目を選択・指定入力するキー入力部２と、問い合わせ項目を読み取って電話帳ファイル１を検索する制御部３と、相手先の名称とその名称に対する発呼回数とを対応させて記憶する発呼回数メモリ部３１と、表示部４と、電話回線インタフェース５と、送受話器７とから構成されている。
【００１３】
また、従来例と同様に、キー入力部２には、文字キー２１と、回線接続キー２２と、スクロールキー２３とが設けられている。文字キー２１は、０〜９の数字と＊及び＃の記号のキーであり、各キー或は各キーの組み合わせにアルファベットを割り付けることにより、問い合わせ項目をローマ字入力で指定する方法や、予め表示部に表示されるメニューの中から選択する方法によって入力が可能である。
【００１４】
本実施例の特徴部分である発呼回数メモリ部３１は、電話帳ファイル１に格納されている電話番号情報の内、過去に発呼した実績のある相手先について、その相手先名称と通算の発呼回数とを対応させて記憶するものであり、検索表示の際の優先順位を規定するものである。つまり、発呼回数メモリ部３１は発呼回数の多い順に相手先名称を格納しており、問い合わせ項目が入力された場合には、発呼回数メモリ部３１の先頭から検索していくことにより、優先順位の高い、すなわち発呼回数の多い相手先から順次読み出して表示させることができるようになっている。
【００１５】
従って、問い合わせ項目が入力された場合、制御部３は、まず、発呼回数メモリ部３１を先頭から検索して、問い合わせ項目と同一の文字列を含む該当名称を読み取り、表示部４に表示する。つまり、ここで最初に表示される名称は、入力された問い合わせ項目に該当する名称の中で最も発呼回数の多いものとなる。利用者が表示された該当名称を見て、目的の相手であると判断し、「ＯＫ」の入力をすると、制御部３は、電話帳ファイル１を検索して、表示されている該当名称に対応する電話番号を読み取って、表示部４に表示させるようになっている。
【００１６】
また、発呼回数メモリ部３１は書き替え可能なＲＡＭやＥ２ＰＲＯＭ等で構成されており、電話帳メモリ１から取り出した電話番号に対して発呼する度に発呼回数を更新して、更新された発呼回数に従って、発呼回数順に相手先名称を並べ変える変更を行うようになっている。
【００１７】
すなわち、電話帳メモリ１から取り出された電話番号に対して回線接続キー２２が押下されると、制御部３は、当該電話番号に対して発呼し、相手先の名称が既に発呼回数メモリ部３１に格納されている名称の場合には、発呼回数メモリ部３１の当該名称の発呼回数に１を加えて更新し、発呼回数に従って並べ変えを行う。また、相手先の名称が発呼回数メモリ部３１に格納されていない名称の場合には、新たに当該名称とそれに対応する発呼回数１を発呼回数メモリ部３１の末尾に書き込むようになっている。
【００１８】
次に、本実施例の電話端末における制御方法について図２及び図３を用いて具体的に説明する。図２及び図３は、本実施例の電話端末の制御方法を示すフローチャート図であり、特に、図２は発呼回数メモリ部３１を検索する際のフローチャート図であり、図３は電話帳ファイル１を検索する際のフローチャート図である。キー入力部２の文字キー２１から問い合わせ項目が選択・指定入力される（１０１）と、制御部３は、入力された文字列を読み取り（１０３）、発呼回数メモリ部３１の先頭の名称を読み取る（１０５）。そして、読み取った名称に問い合わせ項目と同一文字列が含まれているか、すなわち、該当名称であるかどうかを判断し（１０７）、含まれている場合は、表示部４に表示させる（１０９）。
【００１９】
利用者は、表示された名称を見て判断し、次の入力を行う（１１１）。制御部３は、入力が何の指示であるかを判断し（１１３）、「ＯＫ」であれば、制御部３は、電話帳ファイル１を検索して当該名称に対応する電話番号を読み取って（１１５）、再び表示部４に表示させる（１１７）。
【００２０】
そして、利用者は、表示された名称と電話番号を確認し、次の入力を行う（１１９）。制御部３は入力された指示を判断し（１２１）、終了の指示であれば処理を終了して待ち受け状態に戻る。回線接続キー２２が押下された場合には、表示されている電話番号に対して発呼する（１２３）。そして、発呼回数メモリ部３１の当該名称の発呼回数を更新し（１２５）、更新した発呼回数に基づいて発呼回数メモリ部３１内の名称を並べ変える（１２７）。
【００２１】
また、処理１０７で発呼回数メモリ部３１から読み取った名称に問い合わせ項目と同一の文字列が含まれていない場合と、処理１１３及び処理１２１でスクロールキー２３が押下された場合は、発呼回数メモリ部３１の検索が終了したか否かを判断し（１３１）、終了していないと判断された場合は、発呼回数メモリ部３１から次の名称を読み取って（１３３）、処理１０７の前に戻り、同様の処理を行う。また、発呼回数メモリ部３１の検索が終了したと判断された場合には、発呼回数メモリ部３１には目的とする相手先名称がないとして、図３に示す処理に移行し、従来と同様の方法で電話帳ファイル１を検索する。
【００２２】
発呼回数メモリ部３１に問い合わせ項目に該当する名称がなかった場合、図３に示すように、制御部３は、電話帳ファイル１から先頭の名称を読み取り（２０１）、発呼回数メモリ部３１に格納されているか否かを判断し（２０３）、発呼回数メモリ部３１に格納されていない場合には、問い合わせ項目の文字列と同一文字列を含むかどうかを判断し（２０５）、含んでいる場合は、対応する電話番号を読み取り（２０７）、表示部において名称と電話番号を表示させる（２０９）。
【００２３】
利用者は、表示部４において検索結果を確認し、次の入力を行う（２１１）。そして、次の入力の指示を判断し（２１３）、終了の指示であれば待ち受け状態に戻る。また、回線接続キー２２であれば、表示されている電話番号を発呼し（２１５）、発呼回数メモリ部３１の末尾に当該名称とそれに対応する発呼回数１を書き込む（２１７）。
【００２４】
また、処理２０３で電話帳ファイル１から読み取った名称が発呼回数メモリ部３１に格納されており、図２に示した処理で既に利用者がチェック済みである場合と、処理２０５で入力文字列と同一文字列を含まなかった場合と、処理２１３でスクロールキー２３が押下された場合は、電話帳ファイル１の全ての名称を読み取って検索が終了したか否かを判断し（２２１）、検索が終了していない場合は電話帳ファイル１から次の名称を読み取って（２２３）、処理２０３の前に戻り、同様の処理を行う。また、電話帳ファイル１の検索が終了した場合は、待ち受け状態に戻る。このようにして、本実施例の電話端末の制御方法が行われるものである。
【００２５】
本実施例の電話端末及びその制御方法によれば、制御部３に、発呼実績のある相手先の名称とそれに対する発呼回数とを対応させて記憶する発呼回数メモリ部３１を設け、問い合わせ項目が入力された場合に、発呼回数メモリ部３１を検索して、問い合わせ項目に該当する名称を、発呼回数の多い順に読み取って表示させるようにしているので、利用者が、よく電話をかける相手先の名称を優先的に表示させることができ、検索時間を短縮して、検索を容易にすることができる効果がある。
【００２６】
【発明の効果】
本発明によれば、相手先の発呼実績を記憶する発呼実績メモリを設け、制御部が、発呼実績メモリから相手先の名称を読み取って表示部に表示させ、選択された相手先の名称に対応する電話番号を電話帳ファイルから読み取って発呼させる電話端末の発呼方法としているので、発呼実績のある相手先の電話番号を表示させて発呼させることができる効果がある。
【図面の簡単な説明】
【図１】本発明の一実施例に係る電話端末の構成ブロック図である。
【図２】本実施例の電話端末の制御方法を示すフローチャート図である。
【図３】本実施例の電話端末の制御方法を示すフローチャート図である。
【図４】従来の電話帳ファイルを備えた電話端末の構成ブロック図である。
【図５】従来の電話端末の制御方法を示すフローチャート図である。
【符号の説明】
１…電話帳ファイル、  ２…キー入力部、  ３…制御部、  ４…表示部、  ５…電話回線インタフェース、  ６…公衆回線、  ７…送受話器、  ２１…文字キー、  ２２…回線接続キー、  ２３…スクロールキー、  ３１…発呼回数メモリ部
【図１】
0003883519.tif 000002
【図２】
0003883519.tif 000003
【図３】
0003883519.tif 000004
【図４】
0003883519.tif 000005
【図５】
0003883519.tif 000006